(57)【特許請求の範囲】
【請求項１】
容器本体の側壁の上端外周のフランジに設けられた凸条と、蓋の側壁の下端外周のフランジに設けられた凹条を互に嵌め合せて容器本体を密閉するようにした盛り上げ包装形態で使用する嵌合容器において、前記容器本体の側壁内面に、上端が容器本体のフランジよりも上方に突出する縦方向のストップリブを適宜間隔で複数設けたことを特徴とする嵌合容器。
【請求項２】
前記蓋の側壁内面に突出部が設けられた請求項１に記載の嵌合容器。
【発明の詳細な説明】
【０００１】
【発明の技術分野】
この発明は、蓋を容器本体に嵌合して密閉するタイプの包装容器に関する。
【０００２】
【従来の技術】
例えば透明な蓋で容器本体を閉じるようにした包装容器の場合、内容物を外部から見ることができる特徴がある。これを利用して容器本体に内容物を盛り上げるように収納し、盛り上った余剰分を上げ蓋形式の蓋内に収まるように包装すれば、内容物にボリューム感を持たせることができ、購買意欲を高めることができる。
【０００３】
【発明の課題】
ところが、図７に示すような密閉性の高い両嵌合容器、即ち容器本体１のフランジ１ａに設けられた凸条１ｂと、蓋２のフランジ２ａに設けられた凹条２ｂを嵌合して蓋２を閉じる容器の場合、上述の盛り上げ包装形態を利用しようとすれば、図示のように、容器本体１の開口部から外側にはみ出た内容物Ａが蓋２の内周面に接触してそれ以上蓋２を下方に押し下げる障害になり、容器本体１の凸条１ｂと蓋２の凹条２ｂを嵌合することができない。
【０００４】
そこで、この発明の課題は、盛り上げ包装形態によっても、蓋を閉じるのを阻害しないようにすることである。
【０００５】
【課題の解決手段】
上記の課題を解決するために、この発明は、容器本体の側壁の上端外周のフランジに設けられた凸条と、蓋の側壁の下端外周のフランジに設けられた凹条を互に嵌め合せて容器本体を密閉するようにした盛り上げ包装形態で使用する嵌合容器において、前記容器本体の側壁内面に縦方向のストップリブを適宜間隔で複数設け、内容物が容器本体のフランジ上面まではみ出さないようにしたのである。
【０００６】
そして、前記ストップリブの上端を容器本体のフランジよりも上方に突出させておく。
【０００７】
また、前記蓋の側壁内面に突出部を設けておくのがよい。
【０００８】
【実施の形態】
以下、この発明の実施形態を図１乃至図６に基づいて説明する。
【０００９】
図１に示すように、この発明の嵌合容器は、容器本体１０と蓋２０より成る。容器本体１０は、底壁１１と、その周縁から立ち上る側壁１２と、側壁１２の上端開口部外周に設けられたフランジ１３と、このフランジ１３に設けられた凸条１４より成り、凸条１４はその断面が上方に拡がるテーパ状になっている。一方、前記蓋２０は、頂壁２１と、その周縁から垂下する側壁２２と、側壁２２の下端外周に設けられたフランジ２３と、このフランジ２３に設けられた凹条２４より成り、凹条２４はその断面が下方に狭くなるテーパ状になっている。この凹条２４を前記容器本体１０の凸条１４に嵌め合せることによって、容器本体１０を蓋２０で密閉することができる。
【００１０】
図１、図２、図３に示すように、前記容器本体１０の側壁１２の内面には、縦方向のストップリブ１５が複数設けられている。図２では、ほぼ等間隔に１０個のストップリブ１５を設けた例が示されているが、収納する内容物のサイズに応じて適宜間隔で適宜数設けるのがよい。このストップリブ１５の上端１５ａを、図１及び図３のように、フランジ１３よりも上方に突出するように形成しておくのが好ましい。なお、底壁１１に縦横の補強リブ１６ａ、１６ｂを設けておくことができる。これらのリブ１６ａ、１６ｂは、補強手段のほか、内容物を底壁１１から浮かせ、底壁１１に付着するのを防止する機能を有する。また、底壁１１の周縁に、底壁１１と連続して一段低くなった溝１１ａ（図２、図３）を形成しておくと、内容物から滲出した液体を保留し、かつ内容物に付着するのを防止することができる。
【００１１】
図１及び図４に示すように、前記蓋２０の側壁２２には、内側方向の突出部２５が形成されている。この突出部２５は、前記容器本体１０の隣接するストップリブ１５と１５の間隔に入り込む位置（図６参照）に設けておくのが好ましい。
【００１２】
なお、突出部２５は、図４に示すように４個に限らず、鎖線で示すような位置に設けてもよいし、或は、隣接するストップリブ１５と１５の間隔に対応する位置全てに設けてもよい。この突出部２５は、補強リブとしても役立つ。
【００１３】
図５及び図６に示すように、上記のような容器本体１０に内容物Ａを収納すると、ストップリブ１５によって、内容物Ａをフランジ１３の内周縁まで充填するのが妨げられるため、フランジ１３の上面まで内容物Ａがはみ出すことがなく、容器本体１０の凸条１４と蓋２０の凹条２４を嵌合する妨げとならない。さらに、ストップリブ１５の上端１５ａをフランジ１３よりも上方に突出させておくと、上記のはみ出し防止効果を高めることができる。
【００１４】
また、図５及び図６の鎖線で示すように、蓋２０に突出部２５を設けておくと、容器本体１０の上面から盛り上った内容物Ａを側面から押さえて、盛り上りが崩れるのを防止することができる。特に、隣接するストップリブ１５と１５の間に突出部２５を設けておくと、ストップリブ１５と１５の間隔が開いた個所にはみ出した内容物を押し込むことができる。なお、ストップリブ１５及び突出部２５の高さ（側壁１２、２２からの突出量）は、容器本体と蓋のフランジ１３、２３の位置で、両者の頂面がほぼ一致するように定めるのが好ましい。
【００１５】
【効果】
この発明によれば、以上のように、容器本体の側壁内面に、上端が容器本体のフランジよりも上方に突出するストップリブを設けたので、内容物をフランジの内周縁まで充填するのが妨げられ、内容物が容器本体のフランジの上面へはみ出すのを防止することができるため、蓋を容器本体に嵌合する際に、内容物が邪魔になることがない。
【００１６】
また、蓋の側壁内面に突出部を設けておくと、容器本体から盛り上った内容物を押えて、内容物の移動を防止することができ、内容物を突出部より内側に配置させておくことができるので嵌合を可能にする効果がある。
【図面の簡単な説明】
【図１】この発明の嵌合容器の一例を示す断面図
【図２】同上の容器本体の平面図
【図３】ストップリブの部分を示す拡大斜視図
【図４】蓋の平面図
【図５】内容物を収納した嵌合容器を示す断面図
【図６】容器本体に内容物を収納した状態を示す一部拡大平面図
【図７】従来の嵌合容器に内容物を収納した状態を示す断面図
【符号の説明】
Ａ  内容物
１  容器本体
１ａ  フランジ
１ｂ  凸条
２  蓋
２ａ  フランジ
２ｂ  凹条
１０  容器本体
１１  底壁
１１ａ  溝
１２  側壁
１３  フランジ
１４  凸条
１５  ストップリブ
１５ａ  上端
１６ａ、１６ｂ  補強リブ
２０  蓋
２１  頂壁
２２  側壁
２３  フランジ
２４  凹条
２５  突出部
【図１】
0003986128.tif 000002
【図２】
0003986128.tif 000003
【図３】
0003986128.tif 000004
【図４】
0003986128.tif 000005
【図５】
0003986128.tif 000006
【図６】
0003986128.tif 000007
【図７】
0003986128.tif 000008